(57)【要約】  絡みついた毛髪を容易に除去できるヘアブラシ。ヘアブラシは、ヘアブラシを把持するためのハンドルと、ハンドルに接合されたヘッドとを備える。ヘッドは、対応する孔部の列を有する層を貫通して突出する糸束の列を備える。初期位置において、糸束は完全に孔部を貫通して突出している。最終位置において、該層は糸束の自由端まで変位される。前記ヘアブラシを初期位置から最終位置まで変位させることにより、もつれた毛髪が該層に沿って集められ、ヘアブラシから容易に除去される。【特許請求の範囲】
【請求項１】
初期位置から最終位置まで変位されることにより、絡みついた毛髪の除去が容易となるヘアブラシであって、前記ヘアブラシは、
ａ．前記ヘアブラシを把持するためのハンドルと、
ｂ．前記ハンドルに接合されたヘッドと、を備え、このヘッドは
１．突出する糸束の列を備えた変位可能板材、
２．前記板材を支持するための支持層、
３．前記変位可能板材および支持層を囲繞する内側枠材、および
４．前記支持層内に設置された１対の解除部材、を備えた
ｉ．変位可能部分と、
１．前記糸束が貫通して突出する孔部の列を備えた固定上側板材、および
２．前記固定板材を囲繞する外側枠材、を備えた
ｉｉ．固定部分と、を備え、
前記解除部材は、最初の位置と変位された位置との間で変位可能であり、前記解除部材が前記最初の位置にあるときには、前記ブラシは前記初期位置にあり、かつ前記変位可能部分は変位することができず、前記解除部材が前記変位された位置にあるときには、前記ブラシは前記最終位置にあり、かつ前記変位可能部分は前記固定部分に対して変位可能である、ヘアブラシ。
【請求項２】
解除部材が変位された位置にあるときに、ばね要素が前記解除部材を付勢して最初の位置に戻す、請求項１に記載のヘアブラシ。
【請求項３】
ばね要素は解除要素と一体的な構成部品である、請求項２に記載のヘアブラシ。
【請求項４】
ばね要素は変位可能部分の独立した構成部品である、請求項２に記載のヘアブラシ。
【請求項５】
初期位置から最終位置まで変位されることにより、絡みついた毛髪の除去が容易となるヘアブラシであって、前記ヘアブラシは、
ａ．少なくとも一部が回転可能である、前記ヘアブラシを把持するためのハンドルと、
ｂ．前記ハンドルに接合されたヘッドであって、
ｉ．突出する糸束の列を備えた固定下側板材、および
ｉｉ．前記糸束が貫通して突出する孔部の列を備えた変位可能上側板材、を備えたヘッドと、
ｃ．前記ハンドルの回転可能部分から前記下側板材の裏面の少なくとも一部に沿って延在する回転可能なシャフトと、
ｄ．第１および第２の延出部材であって、
ｉ．各々が、一方の端部において前記シャフトに接合され、前記シャフトの長手方向軸から直角に延出し、
ｉｉ．他端において前記上側板材の対向する横側面に接合された、少なくとも第１および第２の延出部材と、を備え、
前記ハンドルは第１の回転位置と第２の回転位置とを含み、前記ハンドルが前記第１の回転位置にあるときには、前記上側板材が前記下側板材上に設置され、かつ前記ブラシが前記初期位置にあり、前記ハンドルが前記第２の回転位置にあるときには、前記上側板材が上方に変位された位置にあり、かつ前記ブラシが前記最終位置にある、ヘアブラシ。
【請求項６】
ａ．初期位置、および
ｂ．最終位置
からなる群のいずれか１つにおいて、前記ヘアブラシを維持するための係合機構をさらに備える、請求項５に記載のヘアブラシ。
【請求項７】
初期位置から最終位置まで変位されることにより、絡みついた毛髪の除去が容易となるヘアブラシであって、前記ヘアブラシは、
ａ．前記ヘアブラシを把持するためのハンドルを備え、このハンドルは
ｉ．回転可能な上側ハンドル部材および回転可能な下側ハンドル部材と、
ｉｉ．各ハンドル部材から延出する１対のロッドと、を備え、前記ヘアブラシは、
ｂ．前記ハンドルに接合されたヘッドを備え、このヘッドは
ｉ．内側板材であって、
１．突出する糸束の列、および
２．前記ロッドをヒンジの方法で前記内側板材に接合するための手段、を備えた内側板材と、
ｉｉ．前記内側板材と前記ロッドとを囲繞し、前記糸束が貫通して突出する孔部の列を有する上面を備えた弾性外側スリーブと、を備え、
前記上側および下側ハンドル部材は、第１の回転位置と第２の回転位置とを含み、前記上側および下側ハンドル部材が前記第１の回転位置にあるときには、前記ヘアブラシが前記初期位置にあり、前記上側および下側ハンドル部材が前記第２の回転位置にあるときには、前記ヘアブラシが前記最終位置にある、ヘアブラシ。
【請求項８】
初期位置において前記ヘアブラシが毛髪のブラッシングに使用可能であり、最終位置において前記絡みついた毛髪が前記ヘアブラシから容易に除去可能である、請求項７に記載のヘアブラシ。
【請求項９】
各ハンドル部材は、自身の長手方向軸を中心に回転可能である、請求項７に記載のヘアブラシ。
【発明の詳細な説明】
【技術分野】
【０００１】
発明の分野
本発明は、概してヘアブラシに関する。特に本発明は、絡みついた毛髪を容易に除去できるヘアブラシに関する。
【背景技術】
【０００２】
発明の背景
最もありふれた家庭用品の１つが、ヘアブラシ（本書では「ブラシ」とも称する）である。老若男女がブラシを毎日、たいてい１日２回以上利用して、毛髪をブラッシングし、ととのえ、もつれを梳かす。通常、短髪を手入れするには櫛が使用され、長髪にはブラシが使用される。ブラシを使用する際、通常、毛根から引き抜かれたり、ひとりでに抜け落ちたりした毛髪が糸束の間に絡みつき、もつれ合う。ブラシの有効性を維持するために、使用者は、絡みついた毛髪を糸束から手でつまみ出し、かつ／またはブラシを下方に走らせ、またはブラシを水に漬けることにより、ブラシを掃除する。
【０００３】
一度の使用で糸束の間に絡みつく毛髪の量によっては、使用する毎にブラシを掃除することが望ましい場合がある。このような処理は時間がかかり、繰り返しブラシを掃除しなければならないために、もどかしいものである。
【０００４】
使用者が容易に絡みついた毛髪を除去でき、それによりブラシ掃除の処理にかかる時間を減ずるブラシを製造する数多くの試みが行われてきた。しかし、これらのブラシの多くは、外れ得る、および／または壊れ得る構成部品を含み、使用にはある程度の技術を要する。また、これらのブラシの多くは従来のヘアブラシの外観を有しておらず、消費者にとって慣れるのが困難な場合があった。
【０００５】
米国特許第５，８６２，５６３号は、一方の長手方向端部にハンドルを有し、他方の長手方向端部に糸束の列が突出する面を有するヘアブラシ本体を開示している。このヘアブラシの本体の内部は、糸束の列が取り付けられた板材を支持するための、ブラシの長さに沿って直立して設けられた複数のばねを除いては、実質的に中空である。糸束が貫通して突出する孔部の列を有する弓状の掃除用板材が、ブラシ表面の上面に固定設置されている。支持用板材は、ハンドルを貫通して上方に延出するプッシュボタンを備え、これを押下することにより、ばねが圧縮され、支持用板材が糸束と共にブラシ内部へと降下されるようになっている。糸束の間に絡みついた毛髪は、掃除用板材の表面に集められ、ここから除去されることが可能である。プッシュボタンは、好ましくは糸束の長さに等しい距離分上方に延出し、このプッシュボタンを押下すると、全ての糸束が弓状表面よりも下方で延出することが可能となり、これにより絡みついた毛髪が糸束の自由端まで持ち上げられるようになっている。プッシュボタンの位置のために、ブラッシング中にハンドルを握るのは難しく、ぎこちないものであった。また、使用者が毛髪をブラッシングしている最中にうっかりプッシュボタンを押下してしまうことがあり、不便をもたらした。
【０００６】
米国特許第６，５９５，２１９号は、引き込み可能な糸束付きのヘアブラシを開示している。ヘアブラシの本体は、ハンドル部とヘッド部とを備えた中空のチャンバを備えている。糸束の列が、ヘッド部内に設置されている楔形の部材の平坦な上面に取り付けられる。楔形部材のカム面は、ハンドル部内に設置されている連結アームに装着されたローラにより支持される。初期位置において、糸束がヘッド部のカバー面内の孔部を貫通して突出する。圧縮された複数のばねが、カバー面と、楔形部材の平坦な上面との間に設置される。連結アームをハンドル部の長手方向端部に向かって楔形部材から離れる方向に滑動させ
ると、ばねが楔形部材を押し動かし、これにより糸束がヘッドの中空チャンバの中へと引き込み位置まで沈められる。連結アームは、ハンドルの一端から他端へと突出スタブを滑動させることによりハンドル部内を移動する。ブラッシングの手順において、スタブがうっかり滑動されることがあり、不便をもたらし、機構を定位置にリセットする必要があった。
【０００７】
米国特許第５，９２６，９０２号は、挙揚可能な掃除用板材を有するヘアブラシを開示している。初期位置において、板材は糸束の基部で静止しており、ブラシヘッドの長手方向先端に設置された着脱可能なブラケットにより定位置に固着されている。着脱可能なブラケットは小さな部品であり、置き忘れられたりなくなったりすることがある。
【０００８】
米国特許第６，０２１，５４２号は、糸束の基部に設置された多層の掃除用シートを備えたパッドを有する自己洗浄へアブラシを開示している。各掃除用シートを引っ張り上げてブラシからはがし、糸束の間に絡みついた毛髪をこれと共に除き去る。オリジナルのパッドを使い尽くすと、この装置は従来のヘアブラシに戻る。
【０００９】
ロシア特許第２，１８６，５１４号は、その長手方向軸を中心に下側先端が回転可能な長尺状のハンドルと、一方の端部がハンドルに接合された長円状のヘッド部と、ハンドルの下側先端からハンドルを通ってヘッド部の裏面の長さに沿って延びるシャフトと、を備えるヘアブラシを開示している。昇降用板材が、初期位置において、ブラシの糸束の基部に設置されている。上昇手段が、シャフトに沿ってヘッド部の下面に設置されている。この上昇手段は、２対の同一の機構を備える。各対は、シャフトに対して向かい合って螺着された２つのボルトを含み、各ボルトは、ボルトの各側面からヘッド部の対向する横縁部まで延在するアームを含む。各アームの遠位端は、ヘッド部の外面にまで延在し、この位置に設置される。２つの連結要素は各々、それぞれの一端が互いに枢動可能に接合され、それぞれの他端が隣接するアームの遠位端に各々接合され、ヘッド部の同じ横側面に設置され、ブラシ外部の周辺に露出されている。このように、連結要素もヘッド部の外面に設置される。互いに枢動可能に接合された連結要素の一端は、さらに板材に接合される。回転可能な先端を１方向に回転させると、ボルトが連結要素の他端と共に互いに向かってシャフトに沿って変位され、これにより連結要素の一端が上方に移動される。これにより板材が上昇し、絡みついた毛髪がこれに沿って持ち上げられて、毛髪が除去できるようになる。しかし、連結要素が露出されているので、ブラッシング中に毛髪がその中に引っかかり、うっかり毛髪を毛根から引き抜いてしまい、使用者に痛みをもたらす。また、ブラシを女性用ハンドバッグやハンドバッグの中にしまうと、キーチェーンやクリップなどの物品が連結要素にひっかかり、連結要素を傷つける。さらに悪いことには、連結要素が何らかの鋭利な縁部を備えている場合、使用者が使用中に怪我をしてしまうことがある。さらに、連結要素は美観を呈するものではなく、従来のヘアブラシの外観を好む消費者にとっては望ましくないことがある。
【発明の開示】
【発明が解決しようとする課題】
【００１０】
したがって、本発明の目的は、絡みついた毛髪を容易に除去でき、従来技術の欠点を克服する、改良されたヘアブラシを提供することである。
【００１１】
本発明のさらなる目的は、従来のヘアブラシの外観を有する、改良されたヘアブラシを提供することである。
【００１２】
本発明のさらなる目的は、危険または見苦しい構成部品を含まない、改良されたヘアブラシを提供することである。
【００１３】
本発明のさらなる目的は、使用になんら技術を要しない、改良されたヘアブラシを提供することである。
【００１４】
本発明のさらなる目的は、製造とメンテナンスが安価である、改良されたヘアブラシを提供することである。
【００１５】
本発明の他の目的および利点は、説明が進むにつれ明らかになるであろう。
【課題を解決するための手段】
【００１６】
発明の概要
本発明は、初期位置から最終位置まで変位されることにより、絡みついた毛髪の除去が容易となるヘアブラシに関し、前記ヘアブラシは、
ａ．前記ヘアブラシを把持するためのハンドルと、
ｂ．前記ハンドルに接合されたヘッドと、を備え、このヘッドは
１．突出する糸束の列を備えた変位可能板材、
２．前記板材を支持するための支持層、
３．前記変位可能板材および支持層を囲繞する内側枠材、および
４．前記支持層内に設置された１対の解除部材、を備えた
ｉ．変位可能部分と、
１．前記糸束が貫通して突出する孔部の列を備えた固定上側板材、および
２．前記固定板材を囲繞する外側枠材、を備えた
ｉｉ．固定部分と、を備え、
前記解除部材は、最初の位置と変位された位置との間で変位可能であり、前記解除部材が前記最初の位置にあるときには、前記ブラシは前記初期位置にあり、かつ前記変位可能部分は変位することができず、前記解除部材が前記変位された位置にあるときには、前記ブラシは前記最終位置にあり、かつ前記変位可能部分は前記固定部分に対して変位可能である。
【００１７】
解除部材が変位された位置にあるときに、ばね要素が前記解除部材を付勢して最初の位置に戻す。ばね要素は解除要素と一体的な構成部品であってよい。あるいは、ばね要素は変位可能部分の独立した構成部品である。
【００１８】
本発明はさらに、初期位置から最終位置まで変位されることにより、絡みついた毛髪の除去が容易となるヘアブラシに関する。前記ヘアブラシの第１実施形態は、
ａ．少なくとも一部が回転可能である、前記ヘアブラシを把持するためのハンドルと、
ｂ．前記ハンドルに接合されたヘッドであって、
ｉ．突出する糸束の列を備えた固定下側板材、および
ｉｉ．前記糸束が貫通して突出する孔部の列を備えた変位可能上側板材、を備えたヘッドと、
ｃ．前記ハンドルの回転可能部分から前記下側板材の裏面の少なくとも一部に沿って延在する回転可能なシャフトと、
ｄ．第１および第２の延出部材であって、
ｉ．各々が、一方の端部において前記シャフトに接合され、前記シャフトの長手方向軸から直角に延出し、
ｉｉ．他端において前記上側板材の対向する横側面に接合された、少なくとも第１および第２の延出部材と、を備え、
前記ハンドルは第１の回転位置と第２の回転位置とを含み、前記ハンドルが前記第１の回転位置にあるときには、前記上側板材が前記下側板材上に設置され、かつ前記ブラシが前記初期位置にあり、前記ハンドルが前記第２の回転位置にあるときには、前記上側板材が上方に変位された位置にあり、かつ前記ブラシが前記最終位置にある。
【００１９】
好ましくは、ヘアブラシは、
ａ．初期位置、および
ｂ．最終位置
からなる群のいずれか１つにおいて、前記ヘアブラシを維持するための係合機構をさらに備える。
【００２０】
本発明はさらに、初期位置から最終位置まで変位されることにより、絡みついた毛髪の除去が容易となるヘアブラシに関し、前記ヘアブラシは、
ａ．前記ヘアブラシを把持するためのハンドルを備え、このハンドルは
ｉ．回転可能な上側ハンドル部材および回転可能な下側ハンドル部材と、
ｉｉ．各ハンドル部材から延出する１対のロッドと、を備え、前記ヘアブラシは、
ｂ．前記ハンドルに接合されたヘッドを備え、このヘッドは
ｉ．内側板材であって、
１．突出する糸束の列、および
２．前記ロッドをヒンジの方法で前記内側板材に接合するための手段、を備えた内側板材と、
ｉｉ．前記内側板材と前記ロッドとを囲繞し、前記糸束が貫通して突出する孔部の列を有する上面を備えた弾性外側スリーブと、を備え、
前記上側および下側ハンドル部材は、第１の回転位置と第２の回転位置とを含み、前記上側および下側ハンドル部材が第１の回転位置にあるときには、前記ヘアブラシが前記初期位置にあり、前記上側および下側ハンドル部材が前記第２の回転位置にあるときには、前記ヘアブラシが前記最終位置にある。
【００２１】
第２実施形態によれば、初期位置において前記ヘアブラシが毛髪のブラッシングに使用可能であり、最終位置において前記絡みついた毛髪が前記ヘアブラシから容易に除去可能である。
【００２２】
第２実施形態によれば、各ハンドル部材は、自身の長手方向軸を中心に回転可能である。
【発明を実施するための最良の形態】
【００２３】
好ましい実施形態の詳細な説明
毛髪をブラッシングし、ととのえ、もつれを梳かすためにヘアブラシを利用する際、糸束の間に毛髪が絡みつくのが普通である。ブラシの有効性を維持するために、この毛髪は定期的に除去されなければならない。この処理は時間がかかり、いらいらさせられることがあるので、概して不快なものである。本発明は、使用者が容易に糸束に絡みついた毛髪を除去できる改良されたヘアブラシを提供することにより、これらの問題を解決する。
【００２４】
図１ａおよび図１ｂに示され、概して符号（１００）で表される本発明によるヘアブラシの第１実施形態は、従来のヘアブラシの外観を有し、長尺状のハンドル（１１０）と、ヘッド（１２０）と、糸束（１４０）と、を備える。
【００２５】
図２を参照して、毛髪除去位置（本書では最終位置とも称する）においてブラシ（１００）が示され、ヘッド（１２０）は、外側枠材（１２２）と、糸束（１４０）の列が上方に突出する下側板材（１２４）と、上方に変位された位置において示される変位可能な上側板材（１２６）と、により構成される。上側板材（１２６）は、糸束（１４０）が貫通して突出する孔部（１２７）の列を備える。下側板材（１２４）は、その外縁部が枠材（１２２）の内縁部に固定接合される。
【００２６】
図３は、ヘアブラシ（１００）の内部機構が見えるように、ヘッド（１２０）の後壁を除いたヘアブラシ（１００）の背面斜視図を示す。回転シャフト（１２８）が、ハンドル（１１０）の長手方向の一端から、下側板材（１２４）の裏面の長手方向の長さに沿って延在する。シャフト（１２８）はヘッド（１２０）の全長にわたって延びてよく、あるいは図示のように、ヘッド（１２０）の他端に到達する前に終端してもよい。
【００２７】
平明にするために、本書において「シャフト（１２８）の回転」と言及するときは、ハンドル（１１０）を回転させることで、ハンドル（１１０）に固定接合されたシャフト（１２８）を次いで回転させると理解すべきである。ハンドル（１１０）は、その全体が回転可能であるか、あるいはハンドル（１１０）の一部のみが回転可能であってよく、シャフト（１２８）はハンドル（１１０）中の回転可能部分から延在する。ハンドル（１１０）の回転可能部分は、ヘッド（１２０）に最も近いハンドル（１１０）端部、またはハンドル（１１０）の自由端、またはその間のいずれかにおいて設置されてよい。
【００２８】
上側板材（１２６）（図２）を昇降させるための２対の第１および第２の延出部材（１３０）、（１３２）は、図３において最も良く見える。第１および第２の延出部材（１３０）、（１３２）は各々、一方の端部がそれぞれ接合要素（１３０ａ）および（１３２ａ）を介してシャフト（１２８）に接合され、シャフト（１２８）の長手方向軸に直交する方向に延出する。第１および第２の延出部材（１３０）、（１３２）は各々、下側板材（１２４）の対向する横縁部にある開口部を貫通して延出する。延出部材（１３０）、（１３２）は、他方の端部が上側板材（１２６）の横側面沿いの対向する位置において接合される（図２参照）。
【００２９】
これらの図面は２対の延出部材（１３０）、（１３２）を示しているが、本発明が本書に記載されるように動作するには、１対のみ必要であることを理解すべきである。もしくは、動作の際に一層の安定性をもたらすために、３対以上が存在してもよい。
【００３０】
図１ａのＡ−Ａ線におけるヘアブラシ（１００）の断面図を図４ａに示す。ヘアブラシ（１００）は初期位置（本書においてはブラッシング位置とも称する）にあり、上側板材（１２６）が下側板材（１２４）上に位置しているため、実質的に糸束（１４０）の全長が上側板材（１２６）内の孔部（１２７）を貫通して突出している。
【００３１】
図４ｂは、図２のＢ−Ｂ線におけるヘアブラシ（１００）の断面図を示す。ヘアブラシ（１００）は最終位置にあり、上側板材（１２６）は上方に変位されて糸束（１４０）の自由端にある。これらの図、特に図４ｂに示すように、糸束（１４０）の自由端は、好ましくは快適先端丸頭（１４２）を備える。通常、各丸頭（１４２）は半球状であり、対応する糸（１４０）が各々貫通して突出する上側板材（１２６）内の各孔部（１２７）の厚みよりも大きい厚みを有する。上側板材（１２６）が糸束（１４０）に沿って上方に変位されて、ヘアブラシ（１００）が毛髪除去位置（図２および図４ａ）になると、丸頭（１４２）は、上側板材（１２６）が糸束（１４０）から滑り落ちてヘアブラシ（１００）から離脱することを防ぐストッパとして働く。ヘアブラシ（１００）が毛髪除去位置にあるとき、糸束（１４０）の間に絡みついた毛髪は、上側板材（１２６）の表面上の共通の平面に堆積し、ヘアブラシ（１００）から容易に除去できる。
【００３２】
シャフト（１２８）の回転運動は、上側板材（１２６）の上方に変位する直線運動に変わる。図４ｂに示すように、シャフト（１２８）が矢印（１１２）で示す第１の方向に回転することで、接合要素（１３０ａ）、（１３２ａ）を回転させ、それによって第１および第２の延出部材（１３０）、（１３２）を矢印（１１４）で示す枠材（１２２）の対向する横縁部の方向に延出させる。第１および第２の連結部材（１３０）、（１３２）は、下側板材（１２４）内の対向する横開口部を貫通し、矢印（１１６）で示すように上側板
材（１２６）を鉛直方向上方に押し上げて下側板材（１２４）から引き離す。シャフト（１２８）が第２の（反対）方向に回転すると、上側板材（１２６）が下方に変位して、ヘアブラシ（１００）を初期位置に戻す。
【００３３】
ヘアブラシ（１００）が初期位置または最終位置のいずれかにあるとき、シャフト（１２８）が不注意により回転するのを防ぐことが望ましい。したがって、このような望ましからぬシャフトの回転を防ぐために、係合機構が設けられる。係合機構（１５０）は図５ａに示され、ハンドル（１１０）に最も近接したヘッド（１２０）の長手方向端部に固定設置された中空要素（１５２）を備える。中空要素（１５２）はヘッド（１２０）から延出し、ハンドル（１１０）内に挿入可能である。シャフト（１２８）（後述するように図５ｂおよび図５ｃに示される）は中空要素（１５２）の通路（１５３）を通過してハンドル（１１０）の内面に固定される。図５ｂは図１ａのＣ−Ｃ線における係合機構（１５０）の断面図を示し、該図においてブラシ（１００）は初期位置にあり、図５ｃは図２のＤ−Ｄ線における係合機構（１５０）の断面図を示し、該図においてブラシ（１００）は最終位置にある。係合機構（１５０）は２つのストッパ（１５４）をさらに備え、ストッパ（１５４）は各々、中空要素（１５２）の外周部から延出し、ヘッド（１２０）に対して固定される。一方のストッパ（１５４）を、図５ａの詳細図（Ｉ）において拡大図で示す。図５ｂおよび図５ｃにおいて最も良く見えるように、２つの突起（１５６）がハンドル（１１０）の内面から径方向内方に延出する。各突起（１５６）は、各ストッパ（１５４）のうちの一方の、対向する側面に設置されるため、初期位置（図５ｂ）において、各突起（１５６）がそれぞれのストッパ（１５４）を通り過ぎて摺動するのに必要な量の力をかけることなく、ハンドル（１１０）が矢印（１１２）で示すような第１の方向に回転するのを防ぐ。同様に、ブラシ（１００）が最終位置にあるとき（図５ｃ）、各突起（１５６）がそれぞれのストッパ（１５４）を通り過ぎて摺動するのに必要な量の力をかけることなく、ハンドル（１１０）が矢印（１１３）で示すような第２の（すなわち反対）方向に回転するのを防ぐ。
【００３４】
ストッパ（１５４）は、中空要素（１５２）の表面においてわずかに隆起する部分を備えてよく、突起（１５６）はハンドル（１１０）の内面においてわずかに隆起する部分を備えてよいが、これらの図においては、例示の目的で拡大された構成部品として示される。
【００３５】
本発明によるヘアブラシの第２実施形態は、概して符号（２００）で表され、図６ａにおいて組立図で示され、図６ｂにおいて分解図で示される。ヘアブラシ（２００）は従来のヘアブラシの外観を有し、長尺状のハンドル（２１０）と、ヘッド（２３０）と、糸束（２５０）と、を備える。
【００３６】
図６ｂにおいて最も良く見えるように、ハンドル（２１０）は、上側ハンドル部材（２１２）と下側ハンドル部材（２１４）とを備える。各ハンドル部材（２１２）、（２１４）は、ヘッド（２３０）に最も近い長手方向端部に横方向の出っ張り（２１２ａ）、（２１４ａ）を有し、そこから実質的に平行な２本のロッド（２１６）、（２１８）が延出し、このうちロッド（２１６）を本書において各ハンドル部材（２１２）、（２１４）の外側ロッドと称し、ロッド（２１８）が各ハンドル部材（２１２）、（２１４）の内側ロッドである。外側ロッド（２１６）は、それらの自由端に設置された連結要素（２１７）によって内側ロッド（２１８）に連結される。ヘッド（２３０）は、わずかに凸の形状を有する内側板材（２３２）と、内側板材（２３２）の表面から突出する糸束（２５０）の列と、糸束（２５０）が貫通して突出する孔部（２３６）の列を備えた上面（２２４）を有する弾性の外側スリーブ（２３４）と、を備える。キャップ（２３８）が内側板材（２３２）の自由端に接合される。
【００３７】
ヘアブラシ（２００）の組立図から弾性スリーブ（２３４）が除かれ、内側板材（２３２）の一部が切り欠かれている図７において最も良く見えるように、各外側ロッド（２１６）は、各外側管部（２３３）の一方の内部に配設されることにより、内側板材（２３２）にヒンジの方法で接合されており、該管部（２３３）は内側板材（２３２）との一体部分であり、内側板材（２３２）の横縁部の長さに沿って長手方向に延びる。
【００３８】
図８ａから図８ｄは、初期位置（図８ａ）から最終位置（図８ｄ）までヘアブラシ（２００）を変位させる必要がある操作の順序を示す。図９ａから図９ｄは、図８ａから図８ｄのＥ−Ｅ線からＨ−Ｈ線におけるヘアブラシ（２００）の断面図を示す。図８ａは実質的に図６ａと同一であり、図９ａと共に、初期位置にあるヘアブラシ（２００）を示す。初期位置において、上側ハンドル部材（２１２）が下側ハンドル部材（２１４）を覆うことにより、長尺状のハンドル（２１０）を形成する。また、初期位置において、弾性スリーブ（２３４）の上面（２２４）が内側板材（２３２）の表面上に位置しているため、実質的に糸束（２５０）の全長が弾性スリーブ（２３４）の孔部（２３６）を貫通して突出する。図９ａに示すように、内側ロッドおよび外側ロッド（２１６）、（２１８）は、中心線（２４０）で示すように実質的に一平面に沿って整列される。図８ｂおよび図９ｂはヘアブラシ（２００）の第１の中間位置を示し、各ハンドル部材（２１２）、（２１４）は、矢印（２２０）で示すように、それぞれの外側ロッド（２１８）の長手方向軸を中心に外向きに下方へ回転され、ハンドル部材（２１２）、（２１４）が実質的に互いに平行になる。これに応じて弾性スリーブ（２３４）の下面（２２６）が下方に伸長し、弾性スリーブ（２３４）の上面（２２４）は内側板材（２３２）の表面と接触したままである。ヘアブラシ（２００）の第２の中間位置が図８ｃおよび図９ｃに示され、各ハンドル部材（２１２）、（２１４）は、それぞれの外側ロッド（２１８）の長手方向軸を中心に外向きにさらに回転される。この位置において、図９ｃに示すように、内側ロッドおよび外側ロッド（２１６）、（２１８）が、中心線（２４０）で示すように実質的に一平面に沿って整列される。弾性スリーブ（２３４）は中心線（２４０）で示すように該平面に沿って伸長され、弾性スリーブ（２３４）の上面は内側板材（２３２）の表面と接触したままである。ヘアブラシ（２００）の最終位置において、図８ｄおよび図９ｄに示すように、ハンドル部材（２１２）、（２１４）がそれぞれの外側ロッド（２１８）の長手方向軸を中心に外向きにさらに回転され、弾性スリーブ（２３４）の上面（２２４）が上方に伸長され糸束（２５０）の自由端に至る。
【００３９】
これらの図、特に図９ｄに示すように、糸束（２５０）の自由端は、好ましくは快適先端丸頭（２５２）を備える。通常、各丸頭（２５２）は半球状であり、対応する糸（２５０）が各々貫通して突出する弾性スリーブ（２３４）内の各孔部（２３６）（図６ｂ）の厚みよりも大きい厚みを有する。スリーブ（２３４）が最終位置にあるとき（図８ｄおよび図９ｄ）、丸頭（２５２）は、スリーブ（２３４）が糸束（２５０）から滑り落ちてヘアブラシ（２００）から離脱するのを防ぐストッパとして働く。ヘアブラシ（２００）が最終位置に位置するとき、糸束（２５０）の間に絡みついた毛髪は、弾性スリーブ（２３４）の上面（２２４）の共通の平面に堆積し、これにより毛髪がヘアブラシ（２００）から容易に除去できる。
【００４０】
これらの図に示し上述したヘアブラシ（２００）の４つの位置は、弾性スリーブ（２３４）の上面に対する糸束（２５０）の様々な位置を単に例示するものであることを理解すべきである。通常、ヘアブラシ（２００）の初期位置から最終位置に至る変位は、単一の連続した動きで行われる。
【００４１】
さらに、上述の回転角度および／または基準平面は限定を意図するものではなく、図に示された特定の実施形態に関して動作の段階を記述するものと理解すべきである。ヘアブラシ（２００）の寸法が変更される場合、回転角度と共に平面の配列もそれに応じて変化
してもよい。
【００４２】
本発明によるヘアブラシの第３実施形態が、図１０ａの正面斜視図および図１０ｂの背面斜視図において示され、概して符号（３００）で表され、従来のヘアブラシの外観を有し、ハンドル（３１０）と、ヘッド（３２０）と、糸束（３６２）と、を備える。
【００４３】
ブラシ（３００）の全ての構成部品の分解正面斜視図が図１１ａにおいて視認できる。ブラシ（３００）は、ハンドル（３１０）および外側枠材（３２２）を備える固定部分と、固定上側板材（３２４）と、からなる。ブラシ（３００）はさらに、支持層（３３０）と、変位可能板材（３６０）と、内側枠材（３７０）と、を備えた変位可能部分からなる。複数の解除部材（３４０）が、後述のように支持層（３３０）に挿入可能である。
【００４４】
図１１ｂは、ブラシ（３００）の変位可能部分の構成部品を分解図で示す。各解除部材（３４０）は、上側部分（３４２）と下側部分（３４４）とを備える。１対の可撓性ばね要素（３４６）、（３４７）および中央要素（３４８）が、各解除部材（３４０）から延出し、それぞれ開口部（３４６ａ）、（３４７ａ）、および（３４８ａ）に挿通される。図１１ｃに示すように、中央要素（３４８）が開口部（３４８ａ）に完全に挿入されると、上方に突出するリップ（３５０）が開口部（３４８ａ）から中央要素（３４８）が外れるのを防ぐ。ばね要素（３４６）、（３４７）は可撓性の部材である。ばね要素（３４６）、（３４７）を開口部（３４６ａ）、（３４７ａ）に挿入する際、ばね要素（３４６）、（３４７）の先端が内方に傾斜する壁（３３２）に接触する。そのまま図１１ｃを参照して、ばね要素（３４６）、（３４７）がさらに挿入されると、ばね要素（３４６）、（３４７）が内側に傾斜する壁（３３２）に沿って摺動し、内向きに屈曲する。各ばね要素（３４６）、（３４７）の復元力により、解除部材（３４０）がそれぞれの開口部（３４６ａ）、（３４７ａ）から外へと、反対の横方向に付勢される。しかし、上述のように、リップ（３５０）が解除部材（３４０）の外向きの摺動を防ぐ。
【００４５】
図１１ｂを再び参照して、変位可能板材（３６０）は、好ましくはたとえばゴムで製造される可撓性層であり、この可撓性層から上方に突出する糸束（３６２）の列を備える。変位可能部分が組み立てられたとき、変位可能板材（３６０）は支持層（３３０）の頂部に設置される。支持層（３３０）の外壁（３３３）の内周に沿って設置された複数の内側リブ（３３４）が上方に突出し、変位可能板材（３６０）の縁部を囲んでこれを支持する。
【００４６】
完全に組み立てられた変位可能部分を示す図１１ｄにおいて最も良く見えるように、内側枠材（３７０）が変位可能板材（３６０）の周縁の頂部に配置される。図１１ｂおよび図１１ｄを参照して、垂下タブ（３７２）（図１１ｂでのみ示す）が支持層（３３０）内のスロット（３３６）にしっかりと嵌合するための下側部分（３７１）を備え、これにより変位可能部分の構成部品がしっかりと結合される。
【００４７】
図１１ｃおよび図１１ｄに示すように、解除部材（３４０）の上側部分（３４２）の外縁部（３４３）は、支持層（３３０）の横側面から突出し、後述するように、ブラシ（３００）の変位可能部分の望ましくない変位を防ぐためのストッパとして働く。
【００４８】
図１１ｅは、ブラシ（３００）の固定部分の構成部品を分解図で示し、変位可能部分を組立図で示す。固定上側板材（３２４）は、ヘッド（３２０）が完全に組み立てられたときに（図１０ａ）糸束（３６２）が貫通して突出する孔部（３２６）の列を備える。上側板材（３２４）は、好ましくは剛性のプラスチック材料で製造される。外側枠材（３２２）の外壁（３２１）の内周に沿って設置された複数の外側リブ（３２３）は、後述するように、変位可能部分を外側枠材（３２２）に沿って一様に変位させるためのガイドとして
働く。
【００４９】
図１２ａから図１２ｃは、ブラシ（３００）を背面斜視図で示し、初期位置（図１２ａ）から最終位置（図１２ｃ）までヘアブラシ（３００）を変位させる必要がある操作の順序を示す。図１３ａから図１３ｃは、図１２ａから図１２ｃのＪ−Ｊ線からＬ−Ｌ線におけるヘアブラシ（３００）の断面正面図を示す。図１２ａは図１０ａと実質的に同一であり、図１３ａと共に、初期位置にあるヘアブラシ（３００）を示す。図１３ａを参照して、初期位置において、解除部材（３４０）の上側部分（３４２）の外縁部（３４３）が、外側枠材（３２２）の下側リップ（３２８）に重なるように配設され（図１１ｅも参照）、これにより変位可能部分が下方に変位するのを防ぐ。固定上側板材（３２４）は、変位可能部分が上方に変位するのを防ぐ。図１２ｂおよび図１３ｂはヘアブラシ（３００）の中間位置を示し、解除要素（３４０）は、好ましくは使用者の指により下側部分（３４４）に対して必要な力が付加された結果、矢印（３１２）で示す方向に内方へ変位される（図１３ｂ）。解除要素（３４０）は、必要な力が加えられるかぎり、中間位置に維持されてよい。しかし、一旦力が抜かれると（すなわち使用者の指が外されると）、ばね部材（３４６）、（３４７）（図１１ｃ参照）が解除要素（３４０）をそれらの最初の位置（図１２ａおよび図１３ａ）に戻すように付勢する。図１２ｃおよび図１３ｃに示されるヘアブラシ（３００）の最終位置において、変位可能部分が、矢印（３１４）で示すように（図１３ｃ）固定部分に対して下方に変位されて、糸束（３５０）の自由端が固定板材（３２４）に接触するに至る。
【００５０】
図１１ｅに示すように、複数の主要ストッパ（３１８）が内側枠材（３７０）の長手方向端部から外方に延出する。図１４は、最終位置にあるブラシ（３００）の立体モデルの縦断面を示す。変位可能部分が下方に変位されると、下側リップ（３２８）が主要ストッパ（３１８）を捉え、これにより変位可能部分が外側枠材（３２２）から外れることを防ぐ。
【００５１】
これらの図には示していないが、糸束（３６２）の自由端は、好ましくは快適先端丸頭を備える。通常、各丸頭は半球状であり、対応する糸（３６２）が各々貫通して突出する固定板材（３２４）内の各孔部（３２６）の厚みよりも大きい厚みを有する。ブラシ（３００）が最終位置にあるとき（図１２ｃ、図１３ｃ、および図１４）、丸頭は、変位可能部分が固定板材（３２４）から滑り落ちてヘアブラシ（３００）から離脱するのを防ぐ副次的ストッパとして働く。ヘアブラシ（３００）が最終位置に位置するとき、糸束（３６２）の間に絡みついた毛髪が、固定板材（３２４）の上面上の共通の平面に堆積することにより、毛髪がヘアブラシ（３００）から容易に除去できる。
【００５２】
これらの図に示し上述したヘアブラシ（３００）の３つの位置は、ヘアブラシ（３００）の動作の様々な段階を単に例示するものであると理解すべきである。通常、ヘアブラシ（３００）の初期位置から最終位置に至る変位は、単一の連続した動きで行われる。
【００５３】
第３実施形態の別の態様が図１５ａ〜図１６ｃに示され、概して符号（３００ａ）で表され、第３実施形態（３００）の全ての要素、特徴および利点を備え、必要に応じて変更が加えられて以下の相違点を備える。図１５ａは、本態様（３００ａ）におけるブラシの構成部品を図１１ｂと実質的に同様の図で示し、平明にするために変位可能板材と内側枠材が図から除かれている。図１５ａに示すように、ばね要素（３４５）は、支持層（３３０ａ）内で組み立てられられたときに（図１５ｂ参照）突出レール（３３５）に重なって配置されるブリッジ部（３４１）を備える。各可撓性羽部材（３４６ａ）、（３４７ａ）は、支持層（３３０ａ）の対向する横側面に向かって、ブリッジ部（３４１）から弓状に延出する。
【００５４】
ブラケット部（３４６ｂ）、（３４７ｂ）は、それぞれ各羽部材（３４６ａ）、（３４７ａ）の端部から延出する。さらに、図１５ａおよび図１５ｂに示すように、支持層（３３０ａ）の内側部分の側壁（３３２ａ）は、ブラシ（３００）の内向きに傾斜する壁（３３２）とは異なり、実質的に直線状である。
【００５５】
図１５ｂは、解除要素（３４０）およびばね要素（３４５）が組み込まれた支持層（３３０ａ）を示す。各解除要素（３４０）の中央要素（３４８）は、図１６ａ〜１６ｃにおいて最も良く見えるように、それぞれのブラケット部（３４６ｂ）、（３４７ｂ）内に配設される。初期位置における態様（３００ａ）の断面図が、図１３ａと実質的に同様の図１６ａにおいて示されており、ばね要素（３４５）が解除要素（３４０）間において自然状態で配置されている。ばね要素（３４５）が追加された、図１３ｂと実質的に同様の図１６ｂの中間位置において示すように、解除要素（３４０）が矢印（３１３）で示すように内向きに変位されたときに、各羽部材（３４６ａ）、（３４７ａ）がブラシの中心軸（１２）に向かって内方に押し動かされる。図１６ｃはブラシの最終位置を示し、変位可能部分が、矢印（３１５）で示すように固定部分に対して下方に変位されて、糸束（３５０）の自由端が固定板材（３２４）に接触するに至る。各羽部材（３４６ａ）、（３４７ａ）の復元力により、羽部材がそれぞれの最初の位置に戻ろうとし、次いで、解除要素（３４０）がそれぞれの最初の位置に戻るように付勢される。したがって、解除要素（３４０）がそれぞれの最初の位置に戻ろうとするまで、解除要素（３４０）に一定の力をかける必要がある。
【００５６】
本発明のいくつかの実施形態を例示の目的で説明してきたが、本発明の精神を逸脱したり特許請求の範囲を超えたりすることなく、多くの修正、変形および適合を加え、かつ当業者の技術範囲内にある多数の均等物または代替の解決法を用いて、本発明を実施できることは明白であろう。
【図面の簡単な説明】
【００５７】
【図１ａ】本発明によるヘアブラシの第１実施形態の正面斜視図を示す。
【図１ｂ】本発明によるヘアブラシの第１実施形態の背面斜視図を示す。
【図２】図１ａにおいて、ヘッドの上側板材が上方に変位されている図である。
【図３】図１ｂの背面斜視図において、ヘッドの後壁を除いて内部の構成部品が見えるようにした図である。
【図４ａ】図１ａのＡ−Ａ線における、初期位置すなわちブラッシング位置にあるヘアブラシの第１実施形態の断面図を示す。
【図４ｂ】図２のＢ−Ｂ線における、最終位置すなわち毛髪除去位置にあるヘアブラシの第１実施形態の断面図を示す。
【図５ａ】ハンドルが取り外されたヘアブラシの第１実施形態の係合機構を示す。
【図５ｂ】ヘアブラシが初期位置にあるときの係合機構を示す、図１ａのＣ−Ｃ線におけるヘアブラシの第１実施形態の断面図を示す。
【図５ｃ】ヘアブラシが最終位置にあるときの係合機構を示す、図２のＤ−Ｄ線におけるヘアブラシの第１実施形態の断面図を示す。
【図６ａ】本発明によるヘアブラシの第２実施形態の正面斜視図を組立図で示す。
【図６ｂ】本発明によるヘアブラシの第２実施形態の正面斜視図を分解図で示す。
【図７】図６ａにおいて可撓性スリーブが除かれ、図示の目的で内側板材の一部が切り欠かれた図である。
【図８ａ】第２実施形態のヘアブラシを変位させる必要がある操作の順序の斜視図であり、初期位置を示す。
【図８ｂ】第２実施形態のヘアブラシを変位させる必要がある操作の順序の斜視図であり、第１の中間位置を示す。
【図８ｃ】第２実施形態のヘアブラシを変位させる必要がある操作の順序の斜視図であり、第２の中間位置を示す。
【図８ｄ】第２実施形態のヘアブラシを変位させる必要がある操作の順序の斜視図であり、最終位置を示す。
【図９ａ】図８ａのＥ−Ｅ線における断面図を示す。
【図９ｂ】図８ｂのＦ−Ｆ線における断面図を示す。
【図９ｃ】図８ｃのＧ−Ｇ線における断面図を示す。
【図９ｄ】図８ｄのＨ−Ｈ線における断面図を示す。
【図１０ａ】本発明によるヘアブラシの第３実施形態の正面斜視図を示す。
【図１０ｂ】本発明によるヘアブラシの第３実施形態の背面斜視図を示す。
【図１１ａ】本発明によるヘアブラシの第３実施形態の全ての構成部品の分解正面図を示す。
【図１１ｂ】本発明によるヘアブラシの変位可能部分の構成部品の分解正面図を示す。
【図１１ｃ】解除部材が完全に挿入された支持層を示す。
【図１１ｄ】変位可能部分を組立図で示す。
【図１１ｅ】固定部分の構成部品の分解正面図および変位可能部分の組立図を示す。
【図１２ａ】第３実施形態のヘアブラシを変位させる必要がある操作の順序の背面斜視図であり、初期位置を示す。
【図１２ｂ】第３実施形態のヘアブラシを変位させる必要がある操作の順序の背面斜視図であり、中間位置を示す。
【図１２ｃ】第３実施形態のヘアブラシを変位させる必要がある操作の順序の背面斜視図であり、最終位置を示す。
【図１３ａ】図１２ａのＪ−Ｊ線における断面図を示す。
【図１３ｂ】図１２ｂのＫ−Ｋ線における断面図を示す。
【図１３ｃ】図１２ｃのＬ−Ｌ線における断面図を示す。
【図１４】本発明の第３実施形態の立体モデルの縦断面図を示し、最終位置にあるヘアブラシを示す。
【図１５ａ】第３実施形態の別の態様を分解図で示す。
【図１５ｂ】第３実施形態の別の態様を組立図で示す。
【図１６ａ】初期位置における第３実施形態の別の態様の断面図を示す。
【図１６ｂ】中間位置における第３実施形態の別の態様の断面図を示す。
【図１６ｃ】最終位置における第３実施形態の別の態様の断面図を示す。
【図１ａ】
2009529364.tif 000002
【図１ｂ】
2009529364.tif 000003
【図２】
2009529364.tif 000004
【図３】
2009529364.tif 000005
【図４ａ】
2009529364.tif 000006
【図４ｂ】
2009529364.tif 000007
【図５ａ】
2009529364.tif 000008
【図５ｂ】
2009529364.tif 000009
【図５ｃ】
2009529364.tif 000010
【図６ａ】
2009529364.tif 000011
【図６ｂ】
2009529364.tif 000012
【図７】
2009529364.tif 000013
【図８ａ】
2009529364.tif 000014
【図８ｂ】
2009529364.tif 000015
【図８ｃ】
2009529364.tif 000016
【図８ｄ】
2009529364.tif 000017
【図９ａ】
2009529364.tif 000018
【図９ｂ】
2009529364.tif 000019
【図９ｃ】
2009529364.tif 000020
【図９ｄ】
2009529364.tif 000021
【図１０ａ】
2009529364.tif 000022
【図１０ｂ】
2009529364.tif 000023
【図１１ａ】
2009529364.tif 000024
【図１１ｂ】
2009529364.tif 000025
【図１１ｃ】
2009529364.tif 000026
【図１１ｄ】
2009529364.tif 000027
【図１１ｅ】
2009529364.tif 000028
【図１２ａ】
2009529364.tif 000029
【図１２ｂ】
2009529364.tif 000030
【図１２ｃ】
2009529364.tif 000031
【図１３ａ】
2009529364.tif 000032
【図１３ｂ】
2009529364.tif 000033
【図１３ｃ】
2009529364.tif 000034
【図１４】
2009529364.tif 000035
【図１５ａ】
2009529364.tif 000036
【図１５ｂ】
2009529364.tif 000037
【図１６ａ】
2009529364.tif 000038
【図１６ｂ】
2009529364.tif 000039
【図１６ｃ】
2009529364.tif 000040
【手続補正書】
【提出日】平成20年1月8日(2008.1.8)
【手続補正１】
【補正対象書類名】特許請求の範囲
【補正対象項目名】全文
【補正方法】変更
【補正の内容】
【特許請求の範囲】
【請求項１】
初期位置から最終位置まで変位されることにより、絡みついた毛髪の除去が容易となるヘアブラシ（３００）であって、前記ヘアブラシは、
ａ．前記ヘアブラシ（３００）を把持するためのハンドル（３１０）と、
ｂ．前記ハンドル（３１０）に接合されたヘッド（３２０）と、を備え、このヘッドは
１．突出する糸束（３６２）の列を備えた変位可能板材（３６０）、
２．前記板材（３６０）を支持するための支持層（３３０）、
３．前記変位可能板材（３６０）および支持層（３３０）を囲繞する内側枠材（３７０）、および
４．前記支持層（３３０）内に設置された１対の解除部材（３４０）、を備えた
ｉ．変位可能部分と、
１．前記糸束（３６２）が貫通して突出する孔部（３２６）の列を備えた固定上側板材（３２４）、および
２．前記固定板材（３２４）を囲繞する外側枠材（３２２）、を備えた
ｉｉ．固定部分と、を備え、
前記解除部材（３４０）が、単一の平面に沿って、前記ヘアブラシ（３４０）の長手方向軸の対向する側面上に設置され、かつ前記平面に沿って最初の位置と変位された位置との間で変位可能であり、前記解除部材（３４０）が前記最初の位置にあるときには、前記ブラシ（３００）は前記初期位置にあり、かつ前記変位可能部分は変位することができず、前記解除部材（３４０）が前記変位された位置にあるときには、前記ブラシは前記最終位置にあり、かつ前記変位可能部分は前記固定部分に対して変位可能であることを特徴とする、ヘアブラシ。
【請求項２】
解除部材（３４０）が変位された位置にあるときに、ばね要素（３４６，３４７）、（３４６ａ，３４７ａ）が前記解除部材を付勢して最初の位置に戻す、請求項１に記載のヘアブラシ。
【請求項３】
ばね要素（３４６，３４７）は解除要素（３４０）と一体的な構成部品である、請求項２に記載のヘアブラシ。
【請求項４】
ばね要素（３４６ａ，３４７ａ）は変位可能部分の独立した構成部品である、請求項２に記載のヘアブラシ。
【請求項５】
初期位置から最終位置まで変位されることにより、絡みついた毛髪の除去が容易となるヘアブラシ（１００）であって、前記ヘアブラシ（１００）は、
ａ．少なくとも一部が回転可能である、前記ヘアブラシ（１００）を把持するためのハンドル（１１０）と、
ｂ．前記ハンドル（１１０）に接合されたヘッド（１２０）であって、
ｉ．突出する糸束（１４０）の列を備えた固定下側板材（１２４）、および
ｉｉ．前記糸束（１４０）が貫通して突出する孔部（１２７）の列を備えた変位可能上側板材（１２６）、を備えたヘッド（１２０）と、
ｃ．前記ハンドル（１１０）の回転可能部分から前記下側板材（１２４）の裏面の少なくとも一部に沿って延在する回転可能なシャフト（１２８）と、を備え、
前記ヘッドが
ｄ．少なくとも第１および第２の延出部材（１３０）、（１３２）をさらに備え、
ｉ．前記延出部材（１３０）、（１３２）は各々、一方の端部において前記シャフト（１２８）に接合され、前記シャフト（１２８）の長手方向軸から直角に延出し、
ｉｉ．前記延出部材（１３０）、（１３２）は、他端において前記上側板材（１２６）の対向する横側面に接合され、
前記ハンドル（１１０）が第１の回転位置と第２の回転位置とを含み、前記ハンドル（１１０）が前記第１の回転位置にあるときには、前記上側板材が前記下側板材上に設置され、かつ前記ブラシ（１００）が前記初期位置にあり、前記ハンドル（１１０）が前記第２の回転位置にあるときには、前記上側板材が上方に変位された位置にあり、かつ前記ブラシ（１００）が前記最終位置にあることを特徴とする、ヘアブラシ。
【請求項６】
ａ．初期位置、および
ｂ．最終位置
からなる群のいずれか１つにおいて、前記ヘアブラシ（１００）を維持するための係合機構（１５０）をさらに備える、請求項５に記載のヘアブラシ。
【請求項７】
初期位置から最終位置まで変位されることにより、絡みついた毛髪の除去が容易となるヘアブラシ（２００）であって、前記ヘアブラシは、
ａ．前記ヘアブラシ（２００）を把持するためのハンドル（２１０）を備え、このハンドルは
ｉ．回転可能な第１のハンドル部材（２１２）および回転可能な第２のハンドル部材（２１４）と、
ｉｉ．各ハンドル部材（２１２）、（２１４）から延出する１対のロッド（２１６）、（２１８）と、を備え、前記ヘアブラシは、
ｂ．前記ハンドル（２１０）に接合されたヘッド（２３０）を備え、このヘッドは
ｉ．内側板材（２３２）であって、
１．突出する糸束（２５０）の列、および
２．前記ロッド（２１６）、（２１８）をヒンジの方法で前記内側板材（２３２）に接合するための手段（２３３）、を備えた内側板材を備え、
前記ヘッドが、
ｉｉ．前記内側板材（２３２）と前記ロッド（２１６）、（２１８）とを囲繞し、前記糸束（２５０）が貫通して突出する孔部（２３６）の列を有する上面を備えた弾性外側スリーブ（２３４）をさらに備え、
前記第１および第２のハンドル部材（２１２）、（２１４）が、第１の回転位置と第２の回転位置とを含み、前記第１および第２のハンドル部材（２１２）、（２１４）が前記第１の回転位置にあるときには、前記ヘアブラシ（２００）が前記初期位置にあり、前記第１および第２のハンドル部材（２１２）、（２１４）が前記第２の回転位置にあるときには、前記ヘアブラシ（２００）が前記最終位置にあることを特徴とする、ヘアブラシ。
【請求項８】
初期位置において前記ヘアブラシ（２００）が毛髪のブラッシングに使用可能であり、最終位置において前記絡みついた毛髪が前記ヘアブラシ（２００）から容易に除去可能である、請求項７に記載のヘアブラシ。
【請求項９】
各ハンドル部材（２１２）、（２１４）は、自身の長手方向軸を中心に回転可能である、請求項７に記載のヘアブラシ。
【手続補正２】
【補正対象書類名】明細書
【補正対象項目名】００５６
【補正方法】変更
【補正の内容】
【００５６】
本発明のいくつかの実施形態を例示の目的で説明してきたが、多くの修正、変形および適合を加え、かつ当業者の技術範囲内にある多数の均等物または代替の解決法を用いて、本発明を実施できることは明白であろう。
【国際調査報告】
2009529364.tif 000041
2009529364.tif 000042
2009529364.tif 000043